(57)【要約】      （修正有）【課題】総木製の棺と比較して軽量で火葬時の燃焼性に優れていながら、荘厳な華麗さを有する、ハイブリッド棺を提供する。【解決手段】ハイブリッド棺１は、箱型の本体２の側板が紙製である。そのため、本体および蓋が総木製である木棺と比較して、軽量化することができ、運搬性を高めることができる。しかも、火葬時に遺体の四方を取り囲む側板が燃焼しやすいので、火葬開始から遺体に火炎が届くまでに要する時間を短縮でき、ひいては火葬に要する時間を短縮することができる。一方、底板および本体の上面を開閉する蓋３は天然木製である。そのため、本体および蓋が総紙製のハイブリッド棺と比較して、荘厳な華麗さおよび高級感を出すことができ、多くの人に好まれる意匠性を発揮することができる。【選択図】図１
0003209282.tif 000002
【実用新案登録請求の範囲】
【請求項１】
上面が開放された箱型の本体と、
本体の上面を開閉する蓋とを含み、
前記本体は、底板および底板の周縁部から立ち上がる側板からなり、
前記底板および前記蓋の材料が天然木であり、
前記側板の材料が紙である、ハイブリッド棺。
【請求項２】
前記側板は、襖用の段ボール芯またはペーパーコア芯からなる板状の紙芯の外面に和紙からなる装飾紙が貼着された構成を有する、請求項１に記載のハイブリッド棺。
【請求項３】
前記蓋には、小窓が形成され、
小窓には、観音開きの２枚の扉が設けられており、
前記扉には、組紐からなるつまみが取り付けられている、請求項１または２に記載のハイブリッド棺。
【考案の詳細な説明】
【技術分野】
【０００１】
本考案は、遺体を納める棺に関する。
【背景技術】
【０００２】
日本では、火葬の習慣から、遺体を納める棺には木棺が広く用いられている。
【０００３】
木棺は、上面が開放された箱型の本体と、本体の上面を開閉する蓋とからなり、その材料は、檜、桐もしくは樅などの天然木または合板である。そのため、木棺は、重量が大きく、その運搬が困難であるという問題を有している。また、火葬時には、遺体が木棺ごと火葬炉で燃やされるが、木棺がある程度まで燃焼して遺体に火炎が届くのに時間がかかり、火葬に要する時間が長いという問題もある。
【０００４】
一方、近年では、段ボール紙からなる紙製の棺が提案されている。紙製の棺は、木棺と比較して、軽量かつ火葬時の燃焼性に優れている。
【先行技術文献】
【特許文献】
【０００５】
【特許文献１】実開平７−２２７３１号公報
【特許文献２】特開２００８−２２９１６号公報
【特許文献３】特開２００５−１０２８００号公報
【考案の概要】
【考案が解決しようとする課題】
【０００６】
ところが、紙製の棺は、実用性には優れているものの、荘厳な華麗さに欠けており、万人に好まれるものではない。
【０００７】
本考案の目的は、総木製の棺と比較して軽量で火葬時の燃焼性に優れていながら、荘厳な華麗さを有する、ハイブリッド棺を提供することである。
【課題を解決するための手段】
【０００８】
前記の目的を達成するため、本考案に係るハイブリッド棺は、上面が開放された箱型の本体と、本体の上面を開閉する蓋とを含み、本体は、底板および底板の周縁部から立ち上がる側板からなり、底板および蓋の材料が天然木であり、側板の材料が紙である。
【０００９】
この構成によれば、箱型の本体の側板が紙製である。そのため、本体および蓋が総木製である木棺と比較して、ハイブリッド棺を軽量化することができ、ハイブリッド棺の運搬性を高めることができる。しかも、火葬時に遺体の四方を取り囲む側板が燃焼しやすいので、火葬開始から遺体に火炎が届くまでに要する時間を短縮でき、ひいては火葬に要する時間を短縮することができる。
【００１０】
また、底板および本体の上面を開閉する蓋が天然木製である。そのため、本体および蓋が総紙製の棺と比較して、荘厳な華麗さおよび高級感を出すことができ、多くの人に好まれる意匠性を発揮することができる。
【００１１】
側板は、襖用の段ボール芯またはペーパーコア芯からなる板状の紙芯の外面に和紙からなる装飾紙が貼着された構成であってもよい。
【００１２】
和紙は女性に好まれるので、側板の外面が和紙で構成されていることにより、とくに女性に好まれる意匠性を発揮することができる。
【００１３】
蓋には、小窓が形成され、小窓には、観音開きの２枚の扉が設けられており、扉には、組紐からなるつまみが取り付けられていてもよい。
【００１４】
組紐は女性に好まれるので、蓋に設けられた扉のつまみに組紐が採用されることにより、とくに女性に好まれる意匠性を発揮することができる。
【００１５】
よって、側板の外面に和紙が貼られ、蓋に設けられた扉のつまみが組紐からなるハイブリッド棺は、それを女性の故人の遺体を納める棺として販売することにより、商業的成功を収めることができる。
【考案の効果】
【００１６】
本考案によれば、総木製の棺と比較して軽量で火葬時の燃焼性に優れていながら、荘厳な華麗さを有することにより、多くの人に好まれる意匠性を発揮することができる。
【図面の簡単な説明】
【００１７】
【図１】本考案の一実施形態に係るハイブリッド棺の斜視図である。
【図２】本体の斜視図である。
【図３】長側板の内面を示す斜視図である。
【考案を実施するための形態】
【００１８】
以下では、本考案の実施の形態について、添付図面を参照しつつ詳細に説明する。
【００１９】
＜ハイブリッド棺の構成＞
図１は、本考案の一実施形態に係るハイブリッド棺１の斜視図である。
【００２０】
ハイブリッド棺１は、その材料に天然木（たとえば、檜、桐または樅）と紙とを組み合わせて用いた平棺である。ハイブリッド棺１は、上面が開放された箱型（直方体形状）の本体２および本体２の上面を開閉する蓋３からなる。
【００２１】
図２は、本体２の斜視図である。
【００２２】
本体２は、長方形板状の底板１１と、底板１１の各長辺に沿った周縁部から立ち上がる長側板１２，１３と、底板１１の各短辺に沿った周縁部から立ち上がる短側板１４，１５とを備えている。
【００２３】
底板１１は、天然木製であり、天然木材を切削および研磨して作製されている。
【００２４】
長側板１２，１３および短側板１４，１５は、紙製である。
【００２５】
図３は、長側板１２，１３の内面を示す斜視図である。
【００２６】
長側板１２，１３は、長方形板状の紙芯２１の外面、端面および内面の周縁部に装飾紙２２が貼着された構成である。紙芯２１は、襖用の段ボール芯またはペーパーコア芯からなる。装飾紙２２は、和紙からなり、たとえば、桜の花模様が描かれている。
【００２７】
長側板１２，１３の作製時には、紙芯２１のサイズに応じた装飾紙２２が用意される。装飾紙２２の裏面に糊が塗られた後、紙芯２１の外面を装飾紙２２側に向けて、装飾紙２２の裏面の中央に紙芯２１が配置される。そして、装飾紙２２の周縁部が紙芯２１の内面側に折り返されて、その周縁部が紙芯２１の端面および内面に接着される。
【００２８】
短側板１４，１５は、図２に示されるように、長側板１２，１３と同様の構成である。すなわち、短側板１４，１５は、長側板１２，１３の紙芯２１と同じ材料からなる長方形板状の紙芯３１の外面、端面および内面の周縁部に装飾紙３２が貼着された構成である。紙芯３１は、襖用の段ボール芯またはペーパーコア芯からなる。装飾紙３２は、和紙からなり、たとえば、桜の花模様が描かれている。短側板１４，１５の作製方法は、長側板１２，１３の作製方法と同じである。
【００２９】
長側板１２と短側板１４，１５との各接続部分には、図２に示されるように、その継ぎ目を外側から覆い隠すように、平面視Ｌ字状で上下方向に延びる被覆板４１が設けられている。被覆板４１は、底板１１と同じ材料からなる。
【００３０】
蓋３は、本体２と同じ材料からなる。蓋３の長手方向の一端部には、矩形状の小窓５１が形成されている。小窓５１には、観音開きの２枚の扉５２が設けられている。遺体が本体２内に収められて、蓋３が本体２に被せられた後は、扉５２を開くことにより、小窓５１を通して、遺体の顔を覗き見ることができる。各扉５２の外面には、組紐からなるつまみ５３が取り付けられている。また、蓋３には、レーザビームまたはインクを用いた加工により模様５４が付けられている。
【００３１】
＜作用効果＞
以上のように、箱型の本体２の側板１２〜１５（長側板１２，１３および短側板１４，１５）が紙製である。そのため、本体および蓋が総木製である木棺と比較して、ハイブリッド棺１を軽量化することができ、ハイブリッド棺１の運搬性を高めることができる。しかも、火葬時に遺体の四方を取り囲む側板１２〜１５が燃焼しやすいので、火葬開始から遺体に火炎が届くまでに要する時間を短縮でき、ひいては火葬に要する時間を短縮することができる。
【００３２】
また、底板および本体２の上面を開閉する蓋３が天然木製である。そのため、本体２および蓋３が総紙製のハイブリッド棺１と比較して、荘厳な華麗さおよび高級感を出すことができ、多くの人に好まれる意匠性を発揮することができる。
【００３３】
側板１２〜１５は、襖用の段ボール芯またはペーパーコア芯からなる板状の紙芯２１，３１の外面に和紙からなる装飾紙２２，３２が貼着された構成である。和紙は女性に好まれるので、側板１２〜１５の外面が和紙で構成されていることにより、とくに女性に好まれる意匠性を発揮することができる。
【００３４】
蓋３には、小窓５１が形成され、小窓５１には、観音開きの２枚の扉５２が設けられており、扉５２には、組紐からなるつまみ５３が取り付けられている。組紐は女性に好まれるので、蓋３に設けられた扉５２のつまみ５３に組紐が採用されることにより、とくに女性に好まれる意匠性を発揮することができる。
【００３５】
よって、側板１２〜１５の外面に和紙が貼られ、蓋３に設けられた扉５２のつまみ５３が組紐からなるハイブリッド棺１は、それを女性の故人の遺体を納めるハイブリッド棺１として販売することにより、商業的成功を収めることができる。
【００３６】
＜変形例＞
以上、本考案の一実施形態について説明したが、本考案は、他の形態で実施することもできる。
【００３７】
たとえば、短側板１４，１５の紙芯３１が長側板１２，１３の紙芯２１と同じ材料からなるとしたが、紙芯２１，３１に互い異なる紙材が採用されてもよい。たとえば、火葬炉の構造上、長側板１２，１３および短側板１４，１５の一方が他方よりも火炎が強く当たる場合、それらが一様に燃焼するように、紙芯２１，３１の材料である紙材を互いに異ならせてもよい。
【００３８】
また、本体２の底板１１および蓋３は、天然木に限らず、少なくとも外表面が天然木で構成されていれば、合板であってもよい。
【００３９】
また、ハイブリッド棺１の形態は、平棺に限らず、蓋が上側に凸湾曲した形状のアール棺であってもよいし、蓋の周縁部に段が付けられたインロー棺であってもよい。
【００４０】
その他、実用新案登録請求の範囲に記載された事項の範囲で種々の設計変更を施すことが可能である。
【符号の説明】
【００４１】
１：ハイブリッド棺
２：本体
３：蓋
１１：底板
１２〜１５：側板
２１：紙芯
２２：装飾紙
３１：紙芯
３２：装飾紙
５１：小窓
５２：扉
５３：つまみ
【図１】
0003209282.tif 000003
【図２】
0003209282.tif 000004
【図３】
0003209282.tif 000005